(57)【要約】【課題】  本発明の杭類の打込み兼引抜き具は、如何なる長さの杭や支柱であっても作業のしやすい高さの任意の一点を両側面から直接挟むことにより、杭類の長手方向に打ち込みあるいは引き抜くときに作用点に過剰な力が集中することがなく支柱を損傷させない杭類の打込み兼引抜き具を提供しようとするものである。【解決手段】  本発明の杭類の打込み兼引抜き具は、杭等の両側面の夫々の１以上の位置に当接する当接面を有し、該当接面が弧状あるいは平面状に形成された一対の当接部材１と、前記杭等の両側に当接部材を当接したとき、両翼方向に延設され、それぞれの基端が夫々の当接部材に取り付けられ、他端が把持部として形成された一対の把持竿２と、前記当接部材の一側の側部に基端が固着あるいは回動自在に取り付けられ、先端が互いに回動自在あるいは回動自在かつ着脱自在に取り付けられた一対の連結部材３と、を有することを特徴とする。【選択図】      図１
2008156825.tif 000002
【特許請求の範囲】
【請求項１】
杭類の対向する両側面の夫々に当接する当接面を備えた一対の当接部材と、
該当接部材に延設され前記杭類の長さ方向と交差する方向に延びる一対の把持竿と、
該把持竿を当接部材側で結合し、該結合部を中心に把持竿を回動することによって前記一対の当接部材間の距離が変更可能となるように前記一対の当接部材を連結する連結部材と、
を有することを特徴とする杭類の打込み兼引抜き具。
【請求項２】
前記連結部材が、当接部材の両側部に取り付けられた二対の連結部材であり、該二対の連結部材のうちの一対の連結部材の基部が前記当接部材に回動自在に取り付けられ、該回動自在な一対の連結部材の一方の先端に係止部を有し、該係止部に着脱自在に係止される係止受部が他方の連結部材の先端に取り付けられ、前記係止受部と係止部が、回動自在に係止することを特徴とする請求項１に記載の杭類の打込み兼引抜き具。
【請求項３】
前記一対の当接部材が杭等の外周に当接する当接面に弾性体が取り付けられあるいは付着されていることを特徴とする請求項１または２に記載の杭類の打込み兼引抜き具。
【請求項４】
前記一対の把持竿のそれぞれの基端部に先端が分岐された分岐部材を有し、該分岐部材の内側に当接部材を取り付けた一対の当接部材保持部材と、
該当接部材保持部材の分岐部材の先端に先端方向に延設した二対の連結部材と、
該二対の連結部材のうちのそれぞれの一対の連結部材の一方の連結部材に取り付けた係止受部と、
該係止受部に着脱自在に係止され、他方の連結部材に取り付けられた係止部と、
を有し、
該係止受部に係止部材を係止して連結すると回動自在となることを特徴とする請求項１ないし３のうち１項に記載の杭類の打込み兼引抜き具。
【請求項５】
前記当接部材保持部材の分岐部材が、平行に形成され、
該当接部材保持部材の平行な分岐部材の内側に、コ状に曲折し、央部を当接部とした板材からなる当接部材の平行な両端部を回動自在に取り付けたことを特徴とする請求項４に記載の杭類の打込み兼引抜き具。
【発明の詳細な説明】
【技術分野】
【０００１】
本発明は、杭や支柱などの杭類を打込むことができ、かつ、引抜くこともできる杭類の打込み兼引抜き具に関する。
【背景技術】
【０００２】
従来、杭打ち具として特開平１１−２９３６７３号文献（特許文献１）、実開平０６−０３５３２９号文献（特許文献２）、実登３０６０１２２号文献（特許文献３）などがあった。これらの文献のものは、筒状あるいは有底の筒状に形成された重りを杭の頭部から挿入し、杭の長さ方向に上下動させることにより地中に杭を打ち込むものであるが、杭や支柱を引き抜くことはできなかった。
【０００３】
また、特開２００４−０９２２５８号文献（特許文献４）、特開２００２−３４８８７１号文献（特許文献５）、特開２００１−０３２２７８号文献（特許文献６）など梃子の原理を使って杭を引き抜くものが多数出願されていたが、杭を打ち込む機能はなかった。
【特許文献１】特開平１１−２９３６７３号文献
【特許文献２】実開平０６−０３５３２９号文献
【特許文献３】実登３０６０１２２号文献
【特許文献４】特開２００４−０９２２５８号文献
【特許文献５】特開２００２−３４８８７１号文献
【特許文献６】特開２００１−０３２２７８号文献
【発明の開示】
【発明が解決しようとする課題】
【０００４】
特許文献１〜３の筒状あるいは有底の筒状の重りによる一群の文献のものは、長さが１５０ｃｍ程度以下の杭や支柱を農耕地など比較的軟らかい地面に打ち込むときは、持ち運びも操作も簡単で使い勝手がよいものである。しかしながら、農耕地にくね（生け垣）、柵などを作るために２００ｃｍを越えるような長い支柱を使いたいときは、この長い支柱を農耕地に立てた状態で支柱の頭部から筒状あるいは有底の筒状の重りを挿入するためには、踏み台など他の物品を使わないと一人では作業ができなかった。そして、踏み台などの上での作業は、足元が不安定で作業が難しかった。
【０００５】
また、近年、農耕地で支柱、くね、柵などに使われる支柱は、肉厚１ｍｍ程度以下の金属パイプを合成樹脂被膜で覆ったものが多用されており、これらの支柱は、手で簡単に折れる程度の強度しかないものが多い。特許文献４〜６の梃子の原理を使った杭抜き具で、農耕地に打ち込んだ支柱を引き抜こうとすると、支柱抜き作業時に支柱が円弧状方向に引き抜かれるため引き抜き抵抗力が強く作用すると共に、同杭抜き具の複数の作用点が支柱の外周の上下異なる位置に当接し、さらに、杭抜き具側の作用点に力が一点に集中するためこの作用点から支柱が折れやすかった。
【０００６】
本発明の杭類の打込み兼引抜き具は、如何なる長さの支柱であっても作業のしやすい高さの支柱の任意の一点を両側面から直接挟むことにより、支柱の長手方向に打ち込みあるいは引き抜くときに作用点に過剰な力が集中することがなく支柱を損傷させない杭類の打込み兼引抜き具を提供しようとするものである。
【課題を解決するための手段】
【０００７】
本発明の杭類の打込み兼引抜き具は、杭類の対向する両側面の夫々に当接する当接面を備えた一対の当接部材と、該当接部材に延設され前記杭類の長さ方向と交差する方向に延びる一対の把持竿と、該把持竿を当接部材側で結合し、該結合部を中心に把持竿を回動することによって前記一対の当接部材間の距離が変更可能となるように前記一対の当接部材を連結する連結部材と、を有することを特徴としている。
【０００８】
この杭類の打込み兼引抜き具は、前記連結部材が、当接部材の両側部に取り付けられた二対の連結部材であり、該二対の連結部材のうちの一対の連結部材の基部が前記当接部材に回動自在に取り付けられ、該回動自在な一対の連結部材の一方の先端に係止部を有し、該係止部に着脱自在に係止される係止受部が他方の連結部材の先端に取り付けられ、前記係止受部と係止部が、回動自在に係止する構成としたり、前記一対の当接部材が杭等の外周に当接する当接面に弾性体が取り付けられあるいは付着されている構成としたりすることができる。
【０００９】
また、上記杭類の打込み兼引抜き具は、前記一対の把持竿のそれぞれの基端部に先端が分岐された分岐部材を有し、該分岐部材の内側に当接部材を取り付けた一対の当接部材保持部材と、該当接部材保持部材の分岐部材の先端に先端方向に延設した二対の連結部材と、該二対の連結部材のうちのそれぞれの一対の連結部材の一方の連結部材に取り付けた係止受部と、該係止受部に着脱自在に係止され、他方の連結部材に取り付けられた係止部と、を有し、該係止受部に係止部材を係止して連結すると回動自在となるように構成したり、前記当接部材保持部材の分岐部材が、平行に形成され、該当接部材保持部材の平行な分岐部材の内側に、コ状に曲折し、央部を当接部とした板材からなる当接部材の平行な両端部を回動自在に取り付けた構成にしたりすることができる。
【発明の効果】
【００１０】
本発明の杭類の打込み兼引抜き具は、杭の両側面の夫々の１以上の位置に当接する当接面を有し、該当接面が弧状あるいは平面状に形成された一対の当接部材と、前記杭の両側に当接部材を当接したとき、両翼方向に延設され、それぞれの基端が夫々の当接部材に取り付けられ、他端が把持部として形成された一対の把持竿と、前記当接部材の一側の側部に基端が固着あるいは回動自在に取り付けられ、先端が互いに回動自在あるいは回動自在かつ着脱自在に取り付けられた一対の連結部材と、を有している。従って、一対の当接部材の片側は、開放されているから、例え２ｍ、3ｍという長い杭や支柱（以下杭と言う）であってもその杭の任意の位置の両側から一対の当接部材により直接杭を挟むことができるので、杭抜き、杭打ち作業が楽な上に作業効率が高い。また、当接部材が杭に当接する位置が、杭の一点の両側であり、杭抜き、杭打ち作業が杭の長手方向の作業であるから、杭にかかる梃子の作用が極めて少ないので、杭への無用な負荷がかからず、杭が損傷され辛い。さらに、一対の当接部材の当接面が弧状に形成されている場合は、当接部材が杭に当接するときの負荷が柔らかであるから、杭を傷つけない。あるいは、当接部材の当接面が平面状に形成されている場合は、それぞれの当接部材と杭の当接する部分が、点ではなく線であるから杭への負荷が分散されるので、さらに杭の損傷が少なくなるなどの効果がある。
【００１１】
本発明の杭類の打込み兼引抜き具は、前記連結部材が、当接部材の両側部に取り付けられた二対の連結部材であり、該二対の連結部材のうちの他側の一対の連結部材の基部が当接部材の他側に回動自在に取り付けられ、該回動自在な連結部材の一方の先端に係止受部を有し、該係止受部に着脱自在に係止される係止部が他方の連結部材の先端に取り付けられ、該係止受部に係止した係止部材が、回動自在である。したがって、係止した係止受部と係止部材を解除してこの両連結部材を回動すると、回動した連結部材側が開放され前記実施例と同様な作用効果が得られる。
【００１２】
また、杭類の打込み兼引抜き具は、前記一対の当接部材が杭あるいは支柱の外周に当接する当接面に弾性体が取り付けられあるいは付着されているから、当接部材が当接した杭の外周が弾性体によって保護されることとなるので、杭への負荷が軽減され損傷を軽減できる。
【００１３】
次の杭類の打込み兼引抜き具は、  前記一対の把持竿のそれぞれの基端部に先端が分岐された分岐部材を有し、該分岐部材の内側に当接部材を取り付けた一対の当接部材保持部材と、該当接部材保持部材の分岐部材の先端に先端方向に延設した二対の連結部材と、該二対の連結部材のうちのそれぞれの一対の連結部材の一方の連結部材に取り付けた係止受部と、該係止受部に着脱自在に係止され、他方の連結部材に取り付けられた係止部と、を有し、該係止受部に係止部材を係止して連結すると回動自在となっている。したがって、それぞれの連結部材の係止した係止受部と係止部材を解除すると、杭類の打込み兼引抜き具が中央部で２体に分割されるから、分割されそれぞれの当接部材を杭の両側から杭の外周に当接した後、連結部材の係止受部と係止部材を係止して、前述の作用を行えるので、上例と同様の効果が得られる。
【００１４】
最後の杭類の打込み兼引抜き具は、前記当接部材保持部材の分岐部材が、平行に形成され、該当接部材保持部材の平行な分岐部材の内側に、コ状に曲折し、央部を当接部とした板材からなる当接部材の平行な両端部を回動自在に取り付けられている。したがって、前記作用効果に加え、当接部材保持部材の平行な分岐部材の内側に当接部材の平行な両端部が回動自在に取り付けられているので、板材からなる当接部材の当接部を杭の外周の両側に当接させると、当接部と杭の外周は点接触ではなく、必ず線接触するから、杭への負荷が分散され、杭の損傷が大幅に軽減された。
【発明を実施するための最良の形態】
【００１５】
図１の平面図と図２の縦断面図に示すように、本発明の杭類の打込み兼引抜き具は、一対の円柱状の当接部材１を備えており、この当接部材１は杭あるいは支柱（以下杭と略称する）Ａを両側から挟んで当接するためのものである。当接部材１により杭Ａを両側から挟んだ状態で、一対の当接部材１の両軸心を結ぶ線の延伸方向の両翼に向って延設され、端部が把持部２ａとして形成されている把持竿２を取り付ける。上記一対の当接部材１のそれぞれの一側の側部に連結部材３を取り付ける。この連結部材３は、杭Ａの両側を当接部材１で挟んだときの杭Ａの上方に向って折れ曲げられて固定した状態で図示しているが、連結部材３の基部を当接部材１に回動自在に取付けたものであっても良い。一対の連結部材３の両先端は、軸４により回動自在に取り付けてある。
【００１６】
上記構成の杭類の打込み兼引抜き具は、先ず始めに、把持竿２の両端の把持部２ａを両手で握り、一対の当接部材１の開放されている側（連結部材３を取り付けてない側）から杭Ａの任意の位置を挟むように挿入して杭Ａの両側に当接部材１を当接させる。続いて、把持竿２の両端の把持部２ａを押し下げると、杭Ａは先端から地中に押し込められる。この作業は、人力によることを想定しているから、当然、耕された農耕地のような軟らかい土地にのみ使用できる杭類の打込み兼引抜き具であり、限定するものではないが、杭Ａとして想定しているものは、直径３０ｍｍ程度以下で肉厚１ｍｍ程度の金属パイプ（強度が低く潰れやすい）に合成樹脂被膜を被着した杭Ａである。
【００１７】
以上、農耕地に杭Ａを押し込むときの方法であるが、農耕地に立設された杭Ａを引き抜くときは、上記杭類の打込み兼引抜き具を上下反対にして当接部材１により杭Ａの両側を挟み、把持竿２の両端の把持部２ａを上方に引き上げれば良い。杭Ａを農耕地に押し込むときも引き抜くときも、把持竿２の両端の把持部２ａを緩めて当接部材１により挟んだ杭Ａの位置を簡単に変更できるから、どんなに長い杭であっても、作業者が常に作業のしやすい位置で杭類の打込み兼引抜き具を操作できる。
【００１８】
図３の平面図と図４の縦断面図は、本発明の第２の実施例を示す図である。この第２実施例は、第１実施例と共通する部分が多いので、第１実施例との相違点を中心に説明する（以下説明する実施例においても全て同様である）。本実施例では、一対の把持竿２のそれぞれの基端部にコ状に曲折された板材からなる当接部材保持体６の底部６ａを取り付けている。そして、当接部材５は、コ状に曲折された板材の対向する平行部６ｂ間に架設された細い軸５ａと、その外周に取り付けたゴムや合成樹脂からなる弾性体５ｂとから構成される。
【００１９】
図では、当接部材５を細い軸５ａの外周に厚い弾性体５ｂを取り付けている。しかし、太い軸の外周に肉厚の薄い弾性体を被着したり、当接部材５が杭Ａの外周に当接する部分にのみ弾性体を取り付けることもできる。
【００２０】
この両当接部材保持体６の平行部６ｂの一側に前記実施例と同様に連結部材３を取り付ける。図では、当接部材保持体６と連結部材３を別体で形成した後、当接部材保持体６の一側の平行部６ｂに連結部材３を取り付けているが、一方の平行部６ｂを長くしてかつ曲折させて連結部材３とすることもできる。前記実施例と同様に連結部材３の先端は、軸４により回動自在に結合されている。上記それぞれの当接部材保持体６の平行部６ｂの内側に当接部材５を取り付ける。取付け方は、軸５ａの一端を当接部材保持体６の平行部６ｂと連結部材３に連通してカシメたり軸５ａの端部にネジ溝を設けてナットで螺着するなどの手段で取り付ける。符号７は、スペーサーである。上記構成の杭類の打込み兼引抜き具の作用効果は、前記実施例と同様なので省記した。
【００２１】
図５は本発明の第３実施例を示す図で、図６は本発明の第４実施例を示す図である。図５に示す第３実施例では、杭Ａの外周に当接する当接部材を半円柱形の当接部材８としている。また、図６に示す第４実施例では、開口部が広い断面台形状の切欠溝９ａを円周上に有する鼓形の当接部材９としている。図示しないが、この円周上の切欠溝の断面をＶ字状やＵ字状などの切欠溝とするもできる。このように外周に切欠溝９ａを形成した当接部材９とすることにより杭Ａの外周の両側のそれぞれの複数点と当接部材９を当接させることができる。この結果、前記各実施例では、当接部材１，５，８と杭Ａの両側の一点が接触し、その一点に圧力が集中していたが、当接部材９の外周に切欠溝９ａを形成することにより当接部材９が杭Ａの両側の複数点と接触することになり杭Ａへの圧力が分散され、杭の損傷が軽減した。その余の作用効果は前記実施例と同様である。
【００２２】
図１、図２の実施例では、当接部材１の片側にのみ先端が回動自在に連結された連結部材３を取り付けたが、図７、図８に示す第５実施例では、当接部材１に構成の異なる連結部材１２をねじ１１等により取り付けたものである。以下詳述する。前記一対の当接部材１のそれぞれの一側の側部には、図１、図２で説明したと同様の先端を回動自在に連結した連結部材３を取り付けている。この一対の当接部材１のそれぞれの他側の側部には、基部をそれぞれの当接部材１の他側の側部に取り付け、先端を着脱自在かつ回動自在に連結できる連結部材１２を取り付ける。この一方の連結部材１２の先端には、係止受部として先端が拡大した脱落防止部１３ａを備えた係止受部１３が取り付けてある。この係止受部１３は円柱の両側を平行に削り取った形状となっている。他方の連結部材１２の先端には、この係止受部１３に係止される係止部１４としての切欠溝１４ａと孔１４ｂが連結部材１２の先端に設けてある。この切欠溝１４ａは、連結部材１２の基部を中心とした円弧状に形成され、切欠溝１４ａより広い孔１４ｂが連設されており、係止受部としての係止受部１３が切欠溝１４ａを通って孔１４ｂに挿入され後、係止受部１３を回動すると抜けなくなる。なお、係止受部１３と係止部１４は、図示したものに拘るものではなく、両連結部材１２を回動自在かつ着脱自在に連結でき、作業中に外れない構造であれば、如何なる構成であっても良い。
【００２３】
上記構成の杭類の打込み兼引抜き具は、当接部材１の他側の連結部材１２の先端の係止受部１３と係止部１４を解除した状態で把持竿２の把持部２ａを握り、両当接部材１により杭Ａの任意の外周を挟み、しかる後、この他側の連結部材１２を回動しながら係止受部１３と係止部１４を係止させた上で、図１、図２の場合と同様に把持竿２の把持部２ａを押し下げれば、杭Ａは先端から地中に挿入される。杭Ａを引き抜くときは、杭類の打込み兼引抜き具を上下逆転させた状態で、前述の操作を行った後、把持竿２の把持部２ａを引き上げればよい。上記作業が終わったら、前述の説明と逆の順序で杭類の打込み兼引抜き具を操作すれば、杭Ａから杭類の打込み兼引抜き具を取り外せる。
【００２４】
図９、図１０の実施例は、本発明の第６実施例の図で、杭類の打込み兼引抜き具を中央で分割し、杭抜き、杭打ち作業時に左右の連結部材を回動自在に連結して使う例である。一対の把持竿２の基部に平行部６ｂ，６ｂを有し先端が連結部材１５，１６であるコ状の当接部材保持体６の底部６ａを取り付ける。両当接部材保持体６の平行部６ｂの内側に円柱状の当接部材５を取り付ける（図では、当接部材５を細い軸５ａの外周に弾性体５ｂを取付けた例を図示した。また、当接部材保持体６の平行部６ｂと連結部材１６をくの字状に図示しているが、真直ぐな棒状であっても良い）。この一方の当接部材保持体６の連結部材１５の先端に係止受部として先端が拡大した脱落防止部１３ａを備え、長径と短径を有する係止受部１３が取り付けられている。他方の当接部材保持体６の連結部材１６の先端には、係止受部１３の短径が通過できるが、長径は通過できない切欠溝１７ａを有し、この切欠溝１７ａより広く係止受部１３が回動できる孔１７ｂを備えた係止部１７を設ける。図では、切欠溝１７ａを連結部材１６の先端で連結部材１６の延伸方向に開口しているが、この開口方向は、任意である。また、図では、片方の当接部材保持体６の２つの平行部６ｂの先端に係止受部１３と係止部１７を取り付けているが、片方の平行部６ｂの２つの連結部材１５，１６の２つの先端に係止受部１３を、他方の平行部６ｂの２つの連結部材１５，１６の２つの先端に係止部１７を取り付けることもできる。なお、前記実施例で説明したように、係止受部１３と係止部１７は、図示したものに拘るものではなく、両連結部材１５，１６を回動自在かつ着脱自在に連結でき、作業中に外れない構造であれば、如何なる構成であっても良い。
【００２５】
図１１、図１２の第７実施例は、前記杭類の打込み兼引抜き具をさらに改良したものである。前記一対の当接部材保持部材６の平行部６ｂのそれぞれの内側に、１枚の板材をコ状に曲折し、央部を当接部１８ａとした当接部材１８の平行な両端部１８ｂをそれぞれ軸１９により回動自在に取り付ける。この当接部材１８の平行な両端部１８ｂの何れか一方あるいは両方の先端と、前記当接部材保持部材６の底部６ａとの間は、当接部材１８が所定角度を超えて回動すると、当接部材１８の平行な両端部１８ｂの何れかの位置が当接部材保持部材６の底部６ａの内側に当接してそれ以上回動できない間隔で隔てられている（この回動範囲の規制手段は、当接部材保持部材６の上下に当接部材１８側に折返した突起を設けたり、軸１９と同心円状の切欠溝を当接部材１８の平行な両端部１８ｂに設け、この切欠溝に挿入される突起を当接部材保持部材６の内側に突設するなど他の様々な手段が取れる）。当接部材１８の当接部１８ａ中央には、断面Ｖ字型（あるいは断面台形方など）の溝２０を設ける。当接部材保持部材６の平行部６ｂのそれぞれの先端に斜め上方に向って連結部材２１を突設する。それぞれの連結部材２１の先端には、前記実施例と同様の係止受部材として先端に拡大した脱落防止部２２ａを備え、長径と短径を有する突起２２と、この突起２２の短径が通過できる溝２３ａと突起２２の長径が回動できる孔２３ｂが連設された係止部２３を設ける。
【００２６】
上記構成の杭類の打込み兼引抜き具は、連結部材２１の係止受部材としての突起２２と、この突起２２を係止する係止部２３を解除した状態で当接部材１８を杭Ａの両側面に当接しながら係止受部材として突起２２と係止部２３を連結し、把持竿２の端部の把持部２ａを押し下げると農耕地に立てた杭Ａが先端から地中に押し込められる。杭Ａが地中に押し込められたら押し下げていた把持部２ａを緩め、突起２２と係止部２３を解除すると、杭類の打込み兼引抜き具が左右に分解される。この杭類の打込み兼引抜き具を上下逆にして当接部材１８を杭Ａの両側面に当接しながら係止受部材として突起２２と係止部２３を連結し、把持竿２の端部の把持部２ａを引き上げれば、農耕地に立設されている杭Ａを引き抜くことができる。
【００２７】
前述の杭類の打込み兼引抜き具は、当接部材１，５，８が全て円柱あるいは半円柱であったため当接部材１，５，８と杭Ａの外周が点接触していた。したがって、杭Ａの外周が当接部材１，５，８から受ける負荷が一点に集中しており、このため杭Ａがこの接触点で損傷しやすかった。しかしながら、上記構成の杭類の打込み兼引抜き具は、板材をコ状に曲折した当接部材１８と杭Ａの外周が点接触ではなく線接触するので、杭Ａの受ける負荷が分散されるから杭Ａの損傷を減らすことができる。また、当接部材Ａの底部中央にＶ型溝２０を設けた場合、接触線が２本すなわち複数の点接触となるから杭Ａの受ける負荷がさらに分散されますます杭Ａの外周の受ける負荷が軽減することになり損傷を激減することができる。このＶ型溝２０が台形状の溝である場合は、杭Ａの両側の面と当接部材１８のＶ型溝２０の底面・Ｖ型溝２０の両斜面の３箇所で線接触することになるので、杭Ａの受ける負荷がさらに分散されますます杭Ａの損傷が減ることになる。
【００２８】
尚、本発明の杭類の打込み兼引抜き具は、上記実施例で説明したそれぞれの構成を必要に応じて組合わせて実施できると共に、本発明の要旨の範囲内において種々変更を加えることもできる。
【産業上の利用可能性】
【００２９】
本発明の杭類の打込み兼引抜き具は、耕された農耕地を始め、比較的軟らかい土地に、人力で杭や支柱を打ち込んだり、その杭や支柱によりくねや棚を作ったり、それらの杭や支柱を引き抜くときに使う軽量簡易な手道具である。
【図面の簡単な説明】
【００３０】
【図１】本発明の杭類の打込み兼引抜き具の第１実施例を示す要部平面図である。
【図２】本発明の杭類の打込み兼引抜き具の第１実施例を示す要部縦断面図である。
【図３】本発明の杭類の打込み兼引抜き具の第２実施例を示す要部平面図である。
【図４】本発明の杭類の打込み兼引抜き具の第２実施例を示す要部縦断面図である。
【図５】本発明の杭類の打込み兼引抜き具の第３実施例を示す要部縦断面図である。
【図６】本発明の杭類の打込み兼引抜き具の第４実施例を示す要部平面図である。
【図７】本発明の杭類の打込み兼引抜き具の第５実施例を示す要部平面図である。
【図８】本発明の杭類の打込み兼引抜き具の第５実施例を示す要部縦断面図である。
【図９】本発明の杭類の打込み兼引抜き具の第６実施例を示す要部平面図である。
【図１０】本発明の杭類の打込み兼引抜き具の第６実施例を示す要部縦断面図である。
【図１１】本発明の杭類の打込み兼引抜き具の第７実施例を示す要部平面図である。
【図１２】本発明の杭類の打込み兼引抜き具の第７実施例を示す要部縦断面図である。
【符号の説明】
【００３１】
Ａ          杭
１          当接部材
２          把持竿
２ａ        把持部
３          連結部材
４          軸
５          当接部材
５ａ        細い軸
５ｂ        弾性体
６          当接部材保持体
６ａ        底部
６ｂ        平行部
８          半円柱形の当接部材
９          当接部材
９ａ        断面台形状の切欠溝
１１        ねじ
１２        連結部材
１３        突起
１３ａ      脱落防止部
１４        係止部
１４ａ      切欠溝
１４ｂ      孔
１５        連結部材
１６        連結部材
１７        係止部
１７ａ      切欠溝
１７ｂ      孔
１８    当接部材
１８ａ      当接部
１８ｂ      平行な両端部
１９        軸
２０        断面Ｖ字型の溝
２１        連結部材
２２        長径と短径を有する突起
２２ａ      脱落防止部
２３        係止部
２３ａ      溝
２３ｂ      孔
【図１】
2008156825.tif 000003
【図２】
2008156825.tif 000004
【図３】
2008156825.tif 000005
【図４】
2008156825.tif 000006
【図５】
2008156825.tif 000007
【図６】
2008156825.tif 000008
【図７】
2008156825.tif 000009
【図８】
2008156825.tif 000010
【図９】
2008156825.tif 000011
【図１０】
2008156825.tif 000012
【図１１】
2008156825.tif 000013
【図１２】
2008156825.tif 000014